(57)【要約】【課題】  中棒を断面多角形とした洋傘を提供する。【解決手段】  開傘位置又は閉傘位置で下ロクロに係止することにより該下ロクロの下降又は上昇を阻止するハジキを中棒のハジキ用スリットに出没自在に設けて成る洋傘において、中棒は、断面多角形に形成されると共に、多角形の何れかの頂点に位置する角部を内側に向けてプレスすることにより、中棒の直径方向に関する幅寸法Ｗ１と軸方向に関する長さ寸法Ｌ１を備えた座面を凹設している。ハジキ用スリットは、前記座面に開設されており、座面の幅寸法Ｗ１と長さ寸法Ｌ１に対して、該スリットの幅寸法Ｗ２と長さ寸法Ｌ２をＷ２＜Ｗ１、Ｌ２≦Ｌ１に形成している。【選択図】  図４
0003115565.tif 000002
【実用新案登録請求の範囲】
【請求項１】
パイプ状の中棒の上端部に固着された上ロクロに親骨の基端を枢着し、該中棒に摺動自在に外挿された下ロクロに受骨の基端部を枢着し、受骨の先端を親骨の長手方向中途部に枢結した骨組構造を有し、開傘位置又は閉傘位置で下ロクロに係止することにより該下ロクロの下降又は上昇を阻止するハジキを中棒のハジキ用スリットに出没自在に設けて成る洋傘において、
中棒(1)は、断面多角形の角パイプ(9)により形成されると共に、多角形の何れかの頂点に位置する角部(9a)を内側に向けてプレスすることにより、中棒(1)の直径方向に関する幅寸法Ｗ１と軸方向に関する長さ寸法Ｌ１を備えた座面(11)を凹設し、前記座面の幅寸法Ｗ１よりも狭い幅寸法Ｗ２と前記座面の長さ寸法Ｌ１と等しいか又はそれよりも短い長さ寸法Ｌ２を備えたハジキ用スリット(10)を前記座面(11)に貫通形成して成ることを特徴とする洋傘。
【請求項２】
前記座面(11)は、ハジキ用スリット(10)の幅方向両側に平坦面としての側面(11a)を残存し、ハジキ用スリット(10)の長手方向両側に平坦面としての端面(11b)を残存して成ることを特徴とする請求項１に記載の洋傘。
【請求項３】
中棒(1)に摺動自在に外挿された下ロクロ(4)の摺動孔(12)は、中棒(1)の外形にほぼ適合する断面多角形に形成されて成ることを特徴とする請求項１又は２に記載の洋傘。
【考案の詳細な説明】
【技術分野】
【０００１】
本考案は、洋傘に関し、特に、中棒を断面多角形とした洋傘に関する。
【背景技術】
【０００２】
従来、洋傘は、長傘や折畳み傘、更に、手動開閉式の他、自動開傘式又は自動閉傘式としたもの等、種々の形式が提供されている。
【特許文献１】特開平１０−１７９２２３号公報
【考案の開示】
【考案が解決しようとする課題】
【０００３】
従来、洋傘は、パイプ状の中棒の上端部に固着された上ロクロに親骨の基端を枢着し、該中棒に摺動自在に外挿された下ロクロに受骨の基端部を枢着し、受骨の先端を親骨の長手方向中途部に枢結した骨組構造を有し、開傘位置又は閉傘位置で下ロクロに係止することにより該下ロクロの下降又は上昇を阻止するハジキを中棒のハジキ用スリットに出没自在に設けた構成とされている。
【０００４】
ところが、市場に供給されている洋傘は、全て、中棒を断面円形の丸パイプにより形成したものであり、この点において商品の差別化を図ることが困難である。
【０００５】
そこで、中棒を角パイプ、即ち、断面多角形に形成すれば、意匠的効果を向上できるので、商品の差別化の点で有利となる。上記の特許文献１は、断面１０角形とした中棒を開示している。
【０００６】
しかしながら、洋傘の構造上、中棒は、ハジキ用スリットを開設する必要があり、このようなスリットを角パイプに貫設すると、中棒の強度が大幅に低下し、容易に折損する虞れがあるという問題を提起する。
【課題を解決するための手段】
【０００７】
本考案は、上記課題を解決した洋傘を提供するものであり、その手段として構成したところは、パイプ状の中棒の上端部に固着された上ロクロに親骨の基端を枢着し、該中棒に摺動自在に外挿された下ロクロに受骨の基端部を枢着し、受骨の先端を親骨の長手方向中途部に枢結した骨組構造を有し、開傘位置又は閉傘位置で下ロクロに係止することにより該下ロクロの下降又は上昇を阻止するハジキを中棒のハジキ用スリットに出没自在に設けて成る洋傘において、中棒は、断面多角形に形成されると共に、多角形の何れかの頂点に位置する角部を内側に向けてプレスすることにより、中棒の直径方向に関する幅寸法Ｗ１と軸方向に関する長さ寸法Ｌ１を備えた座面を凹設し、前記座面の幅寸法Ｗ１よりも狭い幅寸法Ｗ２と前記座面の長さ寸法Ｌ１と等しいか又はそれよりも短い長さ寸法Ｌ２を備えたハジキ用スリットを前記座面に貫通形成して成る点にある。
【０００８】
前記座面は、ハジキ用スリットの幅方向両側に平坦面としての側面を残存し、ハジキ用スリットの長手方向両側に平坦面としての端面を残存する。
【０００９】
下ロクロは、中棒に摺動自在に外挿される摺動孔を、中棒の外形にほぼ適合する断面多角形に形成することができる。
【考案の効果】
【００１０】
本考案によれば、中棒１を断面多角形の角パイプ９により形成しているので、意匠的効果の高い洋傘を提供できる。この際、ハジキ用スリット１０を角パイプ９の角部９ａに形成した構成であるから、該スリット１０に位置するパイプ内径Ｓが大きく、その結果、ハジキ８の出没方向の揺動ストロークを大きくとることができるので有利となる。
【００１１】
特に、本考案によれば、角部９ａを内側に向けてプレスすることにより座面１１を凹設しており、該座面１１の幅寸法Ｗ１と長さ寸法Ｌ１に対して、前記幅寸法Ｗ１よりも狭い幅寸法Ｗ２と前記長さ寸法Ｌ１と等しいか又はそれよりも短い長さ寸法Ｌ２のハジキ用スリット１０を該座面１１に開設した構成であるから、中棒１の折損を防止できるという効果がある。即ち、座面１１は、少なくともハジキ用スリット１０の幅方向両側に平坦面としての側面１１ａ、１１ａを残存し、好ましくは、該スリット１０の長手方向両側にも平坦面としての端面１１ｂ、１１ｂを残存するので、スリット１０の両側に臨む角パイプ９の平板部９ｂ、９ｂが前記側面１１ａ及び端面１１ｂにより補強され、容易に折損しないという利点がある。
【００１２】
更に、下ロクロ４の摺動孔１２を角パイプ９の外形にほぼ適合するような断面多角形に形成しておけば、下ロクロ４が中棒１の周方向に自由に回動することを阻止されるので、下ロクロ４に対する受骨７の基端枢着部の変形を防止できる。
【考案を実施するための最良の形態】
【００１３】
以下図面に基づいて本考案の好ましい実施形態を詳述する。
【００１４】
（手動開閉式の洋傘）
図１は、本考案を実施する手動開閉式の洋傘の１例を示しており、洋傘は、パイプ状の中棒１の下端部に手元２を設けている。中棒２の上端部には上ロクロ３が固着され、その下方で昇降自在な下ロクロ４が中棒１に摺動自在に外挿されている。上ロクロ３には、親骨５の基端が枢着され、親骨５の長手方向中途部には枢結具６が設けられている。下ロクロ４には、受骨７の基端が枢着され、受骨７の先端は前記枢結具６を介して親骨５に枢結され、親骨５と受骨７から成る骨組構造を構成している。尚、図示省略しているが、親骨５には傘布が張設される。従って、下ロクロ４を上昇させると、受骨７が親骨５を押し上げることにより、骨組構造を開傘する。反対に、下ロクロ４を下降させると、受骨７が親骨５を引下げることにより，骨組構造を閉傘する。
【００１５】
このような手動開閉式の洋傘は、下ロクロ４を上昇した開傘位置で、該下ロクロ４の下降を阻止するハジキ８が中棒１に取付けられている。ハジキ８は、鋼等から成る板バネにより形成され、パイプ状の中棒１に内装されており、中棒１に貫設されたハジキ用スリットから出没自在に突出している。手動開閉式の洋傘におけるハジキ構造に関し、図１は、長傘を例示するが、折畳み傘においても同様である。
【００１６】
（自動開傘式の洋傘）
図２は、本発明を実施する自動開傘式の洋傘の１例を示しており、洋傘は、パイプ状の中棒１の下端部に手元２を設けている。中棒２の上端部には上ロクロ３が固着され、その下方で昇降自在な下ロクロ４が中棒１に摺動自在に外挿されている。下ロクロ４は、操作ロクロ４ａの上部開口から可動ロクロ４ｂを進退自在に挿入し、スプリング４ｃにより操作ロクロ４ａと可動ロクロ４ｂを相互に離反する方向に付勢している。上ロクロ３には、親骨５の基端が枢着され、親骨５の長手方向中途部には枢結具６が設けられている。下ロクロ４を構成する可動ロクロ４ｂには、受骨７の基端が枢着され、受骨７の先端は前記枢結具６を介して親骨５に枢結されている。更に、下ロクロ４を構成する操作ロクロ４ａには、駆動骨７ａの基端が枢着され、駆動骨７ａの先端は受骨７の長手方向中途部に枢結７ｂされ、親骨５と受骨７及び駆動骨７ａから成る骨組構造を構成している。尚、図示省略しているが、親骨５には傘布が張設される。下ロクロ４は、図示鎖線に示す閉傘位置から自動的に上昇することにより、骨組構造を開傘する。即ち、スプリング４ｃにより操作ロクロ４ａと可動ロクロ４ｂを離反させ、受骨７と駆動骨７ａを相互に開かせながら（枢結部７ｂを頂点とする相互の角度を広げながら）、下ロクロ４が中棒１に沿って上昇し、親骨５を開傘する。ユーザが操作ロクロ４ａを把持することにより下ロクロ４を下降させると、骨組構造は閉傘する。
【００１７】
このような自動開傘式の洋傘は、下ロクロ４を下降した閉傘位置で、該下ロクロ４の上昇を阻止するハジキ８が中棒１に取付けられている。ハジキ８は、鋼等から成る板バネにより形成され、パイプ状の中棒１に内装されており、中棒１に貫設されたハジキ用スリットから出没自在に突出している。自動開傘式の洋傘におけるハジキ構造に関し、図２は、長傘を例示するが、折畳み傘においても同様である。
【００１８】
（本考案の要部に関する実施形態）
図３ないし図５に本考案の１実施形態を示している。図示のように、中棒１は、断面多角形の角パイプ９により形成されている。従って、周方向に関して、角部９ａと平板部９ｂを交互に配置する。図示実施例の場合、断面を６角形に形成したものを例示しているが、その角数を限定するものではない。このような角パイプ９は、好ましくは、アルミニウムその他の軽金属又は繊維強化された合成樹脂を押出成形又は引抜成形することにより提供される。
【００１９】
そこで、ハジキ８を設けるためのハジキ用スリット１０は、多角形の何れかの頂点に位置する角部９ａに対応して開設されている。この点に関して、ハジキ用スリット１０を角部９ａでなく平板部９ｂに開設する場合は、対向する平板部９ｂ、９ｂ間の寸法で規定される角パイプ９の内径が小さいので、ハジキ８の出没方向の揺動ストロークを大きくとれないのに対して、対向する角部９ａ、９ａ間の寸法で規定される角パイプ９の内径は、図３に符号Ｓで示すように大きいので、ハジキ８の揺動ストロークを大きく確保できるという利点がある。
【００２０】
図３（Ｂ）に示すように、本考案において、中棒１は、ハジキ用スリット１０を開設する前に、前記角部９ａを内側に向けてプレスすることにより、パイプ９の直径方向に関する幅寸法Ｗ１と軸方向に関する長さ寸法Ｌ１を備えた座面１１が凹設される。その後、座面１１を切断することによりハジキ用スリット１０が形成され、この際、スリット１０の幅寸法Ｗ２は、前記座面１１の幅寸法Ｗ１よりも狭い、即ち、Ｗ２＜Ｗ１に形成され、スリット１０の長さ寸法Ｌ２は、前記座面１１の長さ寸法Ｌ１と等しいか又はそれよりも短い、即ち、Ｌ２≦Ｌ１に形成される。
【００２１】
従って、ハジキ用スリット１０を貫設した後においても、座面１１が少なくともスリット１０の幅方向両側に平坦面としての側面１１ａ、１１ａを残存する。また、図例のようにＬ２＜Ｌ１とした実施例の場合、座面１１はスリット１０の長手方向両側にも平坦面としての端面１１ｂ、１１ｂを残存する。そして、該スリット１０に両側から臨む角パイプ９の平板部９ｂ、９ｂは、側面１１ａに対して屈折した状態で連設され、しかも、端面１１ｂにより平板部９ｂ、９ｂを相互に連結されている。
【００２２】
ハジキ８は、それ自体としては従来公知のものと同様の構成であり、ハジキ用スリット１０を介して中棒１から出没せしめられる爪部８ａと、該爪部８ａを突出方向に弾発付勢するアーム部８ｂと、アーム部８ｂの尾端に形成された固定部８ｃを備えており、中棒１に内装される。尚、ハジキ用スリット１０の延長線上に位置して中棒１には前記固定部８ｃを嵌入せしめる固定孔１２が設けられている。
【００２３】
本考案の好ましい実施形態において、図５（Ｂ）に鎖線で示すように、中棒１に外挿される下ロクロ４の摺動孔１２は、中棒１を構成する角パイプ９の断面多角形とされた外形にほぼ適合するような断面多角形に形成することができる。このような構成によれば、下ロクロ４は、中棒１の周方向に自由に回動しないので、下ロクロ４に対する受骨７の基端枢着部の変形を防止できる。
【００２４】
（比較例）
本考案の特徴を明確にするため、図６に比較例を示し、その問題点を指摘する。
【００２５】
図６（Ａ）は、角パイプ９ｐの角部ではない平板部にハジキ用スリット１０ｐを開設した比較例を示している。この場合、スリット１０ｐに位置するパイプ内径Ｓｐが小さいため、ハジキ８ｐの出没方向の揺動ストロークを大きくとれないという問題がある。
【００２６】
図６（Ｂ）（Ｃ）は、角パイプ９ｐの角部にハジキ用スリット１０ｐを開設した比較例を示している。この場合、角パイプ９ｐは、角部の一部分を切除されてしまうので、該角部の強度が失われ、しかも、該角部の両側に位置する平板部９ｑ、９ｑがスリット１０ｐに臨む部分から変形し易くなり、図示鎖線で示すように中棒１ｐが容易に折損するという問題がある。
【００２７】
（本考案）
本考案によれば、ハジキ用スリット１０が角パイプ９の角部９ａに形成されているので、該スリット１０に位置するパイプ内径Ｓが大きく、その結果、ハジキ８の出没方向の揺動ストロークを大きくとることができるので有利となる。
【００２８】
そして、角部９ａは、内側に向けてプレスすることにより座面１１を凹設し、該座面１１の幅寸法Ｗ１と長さ寸法Ｌ１に対して、前記幅寸法Ｗ１よりも狭い幅寸法Ｗ２と前記長さ寸法Ｌ１と等しいか又はそれよりも短い長さ寸法Ｌ２のハジキ用スリット１０を該座面１１に開設しているので、座面１１が少なくともスリット１０の幅方向両側に平坦面としての側面１１ａ、１１ａを残存する。また、Ｌ２＜Ｌ１とした場合には、更に、座面１１がスリット１０の長手方向両側に平坦面としての端面１１ｂ、１１ｂを残存する。このため、両側からスリット１０に臨む平板部９ｂ、９ｂが前記側面１１ａ及び端面１１ｂにより補強され、中棒１の折損を防止する。
【図面の簡単な説明】
【００２９】
【図１】本発明を実施した手動開閉式の洋傘の１例を示す正面図である。
【図２】本発明を実施した手自動開傘の洋傘の１例を示す正面図である。
【図３】本発明の１実施形態を関し、（Ａ）は中棒とハジキを分解状態で示す斜視図、（Ｂ）はハジキ用スリットを部分的に拡大して示す斜視図である。
【図４】本発明の１実施形態に関し、中棒にハジキを内装した状態を示す斜視図である。
【図５】本発明の１実施形態に関し、（Ａ）は長手方向に沿う縦断面図、（Ｂ）はＡ−Ａ線断面図である。
【図６】比較例に関し、（Ａ）はハジキ用スリットを角パイプの平板部に開設した比較例を示す断面図、（Ｂ）はハジキ用スリットを角パイプの角部に開設した比較例を示す斜視図、（Ｃ）は同断面図である。
【符号の説明】
【００３０】
１    中棒
３    上ロクロ
４    下ロクロ
５    親骨
７    受骨
８    ハジキ
９    角パイプ
９ａ  角部
９ｂ  平板部
１０    ハジキ用スリット
１１    座面
１１ａ  側面
１１ｂ  端面
１２    摺動孔
【図１】
0003115565.tif 000003
【図２】
0003115565.tif 000004
【図３】
0003115565.tif 000005
【図４】
0003115565.tif 000006
【図５】
0003115565.tif 000007
【図６】
0003115565.tif 000008